(57)【要約】  【課題】  装着者が動きやすく装着感に優れ、高い体型矯正効果を有する前立て部開閉タイプの矯正用ガードル付きズボンを提供する。  【解決手段】  身頃地３とウエスト地４とを備えたズボン内にガードル部を収納した矯正用ガードル付きズボンである。前記ガードル部６は、前記ズボンの前立て部分５に相当する位置に設けられ前記ズボンの前立て部分５の周囲に縫製された切り欠き部１２と、上端が前記身頃地３とウエスト地４との縫製部分に縫着され、伸縮性生地で構成された環状の吊り下げ布部９と、上端部周長を前記吊り下げ布部の下端部周長にあわせて形成され切り欠き部から延在し装着者の骨盤周囲に囲繞装着される第１緊締部１０と、装着者の鼠蹊部から大転子に対応する位置を通って臀溝に延在する第２緊締部１１と、仙骨の上を通って前記第１緊締部と第２緊締部とを近接するように付勢する第３緊締部１２とを有する。【選択図】  図２
2014051763.tif 000002
【特許請求の範囲】
【請求項１】
装着者の下半身部分を覆う身頃地とウエスト部分に巻き回されるウエスト地とを備え、前立て開閉タイプのズボン内にガードル部を収納した矯正用ガードル付きズボンであって、
前記ガードル部は、
前記ズボンの前立て部分に相当する位置に設けられ前記ズボンの前立て部分の周囲に縫製された切り欠き部と、
上端が前記身頃地とウエスト地との縫製部分に一体的に縫着され、伸縮性生地で構成された環状の吊り下げ布部と、
上端部周長を前記吊り下げ布部の下端部周長にあわせて形成され切り欠き部から延在し装着者の骨盤周囲に囲繞装着される第１緊締部と、
装着者の鼠蹊部から大転子に対応する位置を通って臀溝に延在する第２緊締部と、
仙骨の上を通って前記第１緊締部と第２緊締部とを近接するように付勢する第３緊締部とを有することを特徴とする、矯正用ガードル付きズボン。
【請求項２】
前記吊り下げ布部は、前記ズボンの前立て部分から背後にかけて徐々に幅寸法が大きくなるように構成されていることを特徴とする、請求項１に記載の矯正用ガードル付きズボン。
【請求項３】
前記吊り下げ布部は、前記ズボンの前立て部分においては１ｃｍ以下に構成されていることを特徴とする、請求項２に記載の矯正用ガードル付きズボン。
【請求項４】
前記第１緊締部は、前記切り欠き部よりも大きい幅寸法に構成されており、前記切り欠き部の下方では環状に構成されていることを特徴とする、請求項１から３のいずれか１つに記載の矯正用ガードル付きズボン。
【請求項５】
前記切り欠き部は、前記前立て部分よりも短く構成されていることを特徴とする、請求項１から４のいずれか１つに記載の矯正用ガードル付きズボン。
【請求項６】
前記ズボンは女性用ジーンズであることを特徴とする、請求項１から５のいずれか１つに記載の矯正用ガードル付きズボン。
【請求項７】
装着者の下半身部分を覆う身頃地とウエスト部分に巻き回されるウエスト地とを備え、ズボン内にガードル部を収納した矯正用ガードル付きズボンであって、
前記ガードル部は、
上端が前記身頃地とウエスト地との縫製部分に一体的に縫着され、伸縮性生地で構成された環状の吊り下げ布部と、
上端部周長を前記吊り下げ布部の下端部周長にあわせて形成され装着者の骨盤周囲に囲繞装着される第１緊締部と、
装着者の鼠蹊部から大転子に対応する位置を通って臀溝に延在する第２緊締部と、
仙骨の上を通って前記第１緊締部と第２緊締部とを近接するように付勢する第３緊締部とを有することを特徴とする、矯正用ガードル付きズボン。
【発明の詳細な説明】
【技術分野】
【０００１】
本発明は、体型矯正用のガードルを内部に具備するズボンなどに関する。
【背景技術】
【０００２】
体形を矯正するために、特に下半身の下腹部の張出しを引き締め、ヒップの垂れ下がりを持ち上げ、ウエスト周囲を引き締めて体形を矯正するために、下着としてガードルを着用し、その上にスラックスやスカート等を着用することは女性の間で広く行われている。従来、この矯正用のガードルとスラックスやスカートとは別体で構成されていた。ところで、これらのガードルとスラックスやスカートを別体として着用することは煩瑣であり、また、これらが重なった部分が着用した外観の体形をかえって崩したりする。そこで、ガードルをスラックスなどに組み合わせてスラックス内部に内包させて一体化したガードル付きスラックスが開発され、公知となっている。
【０００３】
例えば、特許文献１（特開２００７−１３８３７６号公報）には、ズボンの内部に設けられ、その枠部がズボンに部分的に固定され、着用者の臀部を弾力的に支持する弾力布を備え、当該弾力布に臀部を支え上げるヒップアップバンドを備えるズボンが記載されている。
【０００４】
また、特許文献２（特開２００２−１０５７１６号公報）には、外スパッツの中に内スパッツを重ね合わせて収容して両者をウエストで連結し、内スパッツをガードルとして、臀部などを矯正することができるようにしたズボンが記載されている。
【０００５】
さらに、特許文献３（特開平９−５９８０８号公報）には、ガードルを内部に有するパンツにおいて、ガードルが、開閉係止用立部とウエスト部に縫合され下腹部に相当する部分の伸縮性を弱くし、股間部、ヒップ下部、ヒップ上部の伸縮を強くしたガードル付きパンツが記載されている。
【先行技術文献】
【特許文献】
【０００６】
【特許文献１】特開２００７−１３８３７６号公報
【特許文献２】特開２００２−１０５７１６号公報
【特許文献３】特開平９−５９８０８号公報
【発明の概要】
【発明が解決しようとする課題】
【０００７】
しかし、特許文献１のズボンは、ズボンの内側に臀部を矯正する弾力布を挿入下構成であるから、装着時に弾力布によってズボンの前立て部分が後側に引っ張られ、外観の体型を却って崩したり、装着時に前立て部を開閉するために相当の力を有する等の問題があった。
【０００８】
また、特許文献２に記載されているスパッツは、単に内部に挿入したスパッツをガードルとして使用するものであり、前立て開閉タイプのズボンにはそのまま適用することができないという問題があった。すなわち、内スパッツは、前立て開閉タイプではなく、この構造を前立て開閉ズボンに用いる場合、内スパッツが開閉しないため、ズボンの装着が非常に煩雑であるという問題があった。
【０００９】
また、特許文献３に記載のパンツは、前立て開閉部を備えたパンツに用いることができるようにガードルの構成を工夫したものであるが、下腹部以外の部分の伸縮性を強くすることで、ガードルが装着者に堅く装着され、これに縫製されているパンツが装着者の動作を阻害するため、装着感が悪いという問題があった。
【００１０】
さらに、特許文献３のパンツは、短パンやキュロットスカートのゆったり穿く衣服を想定して構成されたものであり、この構成を例えばぴったりと穿くズボン例えば、女性用スキニージーンズに用いた場合、装着者の動作はかなり制限され、装着感が悪いという問題があった。
【００１１】
一方で、ガードルの伸縮性を弱くすれば動作はしやすくなるが、体型矯正の効果が期待できなくなるという問題があった。
【００１２】
したがって、本発明が解決しようとする技術的課題は、装着者が動きやすく装着感に優れ、高い体型矯正効果を有する前立て部開閉タイプの矯正用ガードル付きズボンを提供することである。
【課題を解決するための手段】
【００１３】
本発明は、装着者の下半身部分を覆う身頃地とウエスト部分に巻き回されるウエスト地とを備え、ズボン内にガードル部を収納した矯正用ガードル付きズボンであって、
前記ガードル部は、
上端が前記身頃地とウエスト地との縫製部分に一体的に縫着され、伸縮性生地で構成された環状の吊り下げ布部と、
上端部周長を前記吊り下げ布部の下端部周長にあわせて形成され装着者の骨盤周囲に囲繞装着される第１緊締部と、
装着者の鼠蹊部から大転子に対応する位置を通って臀溝に延在する第２緊締部と、
仙骨の上を通って前記第１緊締部と第２緊締部とを近接するように付勢する第３緊締部とを有することを特徴とする、矯正用ガードル付きズボンを基本的態様とするものである。
【００１４】
具体的には、本発明の第１態様によれば、装着者の下半身部分を覆う身頃地とウエスト部分に巻き回されるウエスト地とを備え、前立て開閉タイプのズボン内にガードル部を収納した矯正用ガードル付きズボンであって、
前記ガードル部は、
前記ズボンの前立て部分に相当する位置に設けられ前記ズボンの前立て部分の周囲に縫製された切り欠き部と、
上端が前記身頃地とウエスト地との縫製部分に一体的に縫着され、伸縮性生地で構成された環状の吊り下げ布部と、
上端部周長を前記吊り下げ布部の下端部周長にあわせて形成され切り欠き部から延在し装着者の骨盤周囲に囲繞装着される第１緊締部と、
装着者の鼠蹊部から大転子に対応する位置を通って臀溝に延在する第２緊締部と、
仙骨の上を通って前記第１緊締部と第２緊締部とを近接するように付勢する第３緊締部とを有することを特徴とする、矯正用ガードル付きズボンを提供する。
【００１５】
なお、本発明において「ズボン」には、左右の足をそれぞれ覆う穿き口が設けられている人体の下半身に穿いて装着する各種形態、用途の衣類を含む概念であり、各種下半身用外着、例えば、スーツ用ズボン、通勤、通学等に穿く一般的なズボン、各種運動用ズボン、各種作業用ズボン等の各種外着用の長ズボン又は短ズボン、キュロットスカート、ジーンズ、ストレッチ布帛、チノ生地等で構成されたスラックス等前立て開閉タイプのズボンが広く含まれる。
【００１６】
本発明の第２態様によれば、前記吊り下げ布部は、前記ズボンの前立て部分から背後にかけて徐々に幅寸法が大きくなるように構成されていることを特徴とする、第１態様の矯正用ガードル付きズボンを提供する。
【００１７】
本発明の第３態様によれば、前記吊り下げ布部は、前記ズボンの前立て部分においては１ｃｍ以下に構成されていることを特徴とする、第２態様の矯正用ガードル付きズボンを提供する。
【００１８】
本発明の第４態様によれば、前記第１緊締部は、前記切り欠き部よりも大きい幅寸法に構成されており、前記切り欠き部の下方では環状に構成されていることを特徴とする、第１から第３態様のいずれか１つの矯正用ガードル付きズボンを提供する。
【００１９】
本発明の第５態様によれば、前記切り欠き部は、前記前立て部分よりも短く構成されていることを特徴とする、第１から第４態様のいずれか１つの矯正用ガードル付きズボンを提供する。
【００２０】
本発明の第６態様によれば、前記ズボンは女性用ジーンズであることを特徴とする、第１から第５態様のいずれか１つの矯正用ガードル付きズボンを提供する。
【発明の効果】
【００２１】
本発明によれば、ズボンのウエスト地と身頃地に縫製された伸縮性の吊り下げ布部によって、第１緊締部が人体の骨盤周囲に囲繞装着される。また、吊り下げ布部は、伸縮性を有するため、屈伸動作などによる、ズボンのズレを吸収し、第１緊締部の位置ずれを防止する。また、第２緊締部が臀溝に延在するため、臀部のつり上げ効果を維持すると共に、第３緊締部によって、第２緊締部が上向きに付勢されるため、ベルト状の第２緊締部によっても効果的に臀部をサポートすることができる。したがって、本発明の矯正用ガードル付きズボンは、装着者の動きやすさを維持して装着感がよく、高い体型矯正効果を有する。
【００２２】
また、吊り下げ布部は、ズボンの背面にかけて身体の動作によるズボンのズレが大きくなることにより、背後部分の幅を大きくすることで、ズボンのズレの吸収幅を大きくすることができ、第１緊締部の位置ずれを防止することができる。一方で、ズボンの前面については、身体の動作によるズボンのズレが小さいため、吊り下げ布部の幅を小さくして、装着時にガードル部を穿きやすくすることができる。
【００２３】
第１緊締部を切り欠き部よりも大きい幅に構成することで、切り欠き部の下側で第１緊締部が環状に構成されるため、ズボンの前立て開閉部を近づける方向に張力が及ぶ。よって、前立て開閉部の操作を行いやすくすることができ、装着を容易にすることができる。また、同様にガードル部の切り欠きをズボンの前立て部分よりも短くすることで、ガードル部によって前立て部分の下方部分が互いに近づくように付勢される。このため、ズボンの装着を容易にすることができる。
【００２４】
本発明は、女性用のジーンズのように装着者の身体にぴったりとフィットするズボンに用いられることで、装着後のズレを特に効果的に防止することができ、さらに、ガードル部で臀部を収縮するように矯正しているため、ズボンの装着動作を容易にすることができる。
【図面の簡単な説明】
【００２５】
【図１】本発明の第１実施形態にかかる矯正用ガードル付きジーンズの構成を示す外観正面図である。
【図２】図１の矯正用ガードル付きジーンズのズボンとガードル部とを分解した斜視図である。
【図３】図１の矯正用ガードル付きジーンズのガードル部の前方からの構成を示す部分断面拡大図である。
【図４】図１の矯正用ガードル付きジーンズのガードル部の後方からの構成を示す部分断面拡大図である。
【発明を実施するための形態】
【００２６】
以下、本発明の実施形態に係る矯正用ガードル付きズボンについて、図面を参照しながら説明する。
【００２７】
図１は本発明の実施形態にかかる矯正用ガードル付きズボンの構成を示す図である。図２は図１の矯正用ガードル付きジーンズのズボンとガードル部とを分解した斜視図である。本実施形態にかかるズボン１００は、女性用ジーンズであり、装着者の身体のラインにぴったりとフィットするタイプのいわゆるスキニージーンズと呼ばれるものである。なお、以下の実施形態では、ジーンズ本体１を例に説明を進めるが、ジーンズ以外のズボンにも、体型矯正のために同様の構成を採用することが可能である。
【００２８】
図１ではジーンズ本体１の内部に取り付けられたガードル部６を透視図として示す。本実施形態は、上記のように女性用ジーンズに関するものであり、筒状脚部２が装着者の足首まで到達する長さを有するが、図１では、下方部分を省略する。なお、本実施形態においては、身頃地の例としての筒状脚部２を短くしてハーフパンツジーンズとしてもよく、ガードル部６はいずれも同様に構成される。
【００２９】
ジーンズ本体１は、装着者の下半身部分を覆う身頃地の例としての筒状胴部３と、当該筒状胴部３の上方に縫着されているウエスト地４とを備える。筒状胴部３には上端のウエスト地４から縦方向に切り込みが設けられ、この部分を開閉可能とし係止するためにファスナー及びボタン７が取り付けられている前立て部５が設けられる。本実施形態では、ジーンズ本体１の正面に前立て部５が設けられて前立部となっている。
【００３０】
ガードル部６は上端がジーンズ本体１のウエスト地４と筒状胴部３との縫製ラインにおいて一体的に縫合される。ジーンズ本体１の前立て部５の周辺に位置する部分には、切り欠き１３が設けられており、当該切り欠きの周辺部８がジーンズ本体１の前前立て部５の周囲に縫合されている。なお、図１に示すように、切り欠き１３の幅寸法は、ジーンズの前立て部５の長さ寸法よりも短く構成されている。
【００３１】
ガードル部６はジーンズ本体１との縫合部分からその下に帯状に周回する吊り下げ布部９を有する。吊り下げ布部９は、メッシュ状の通気性、伸縮性、柔軟性を有する生地で構成されており、腰回り方向及び上下方向の２軸方向に伸縮可能である。腰回り方向及び上下方向の伸縮の程度は、同程度又は腰回り方向の伸びが若干大きい程度のものが好ましい。吊り下げ布部９は、ジーンズ本体１の前立て部５の近傍に両端が縫製され、全体が略環状に形成されている。
【００３２】
吊り下げ布部９は、両端の幅が小さく、背後に向かうにつれて幅が大きくなるように構成されている。切り欠きの周辺部８に縫製される両端では概ね１ｃｍ以下とし、最も幅が大きい装着者の背後部分では５ｃｍ程度とすることが好ましい。
【００３３】
以上のように、吊り下げ布部９は伸縮性、柔軟性を有する生地で構成されているため、装着時に装着者の身体の動作によってジーンズ本体１が位置ずれを起こしてもその位置ずれを吸収してガードル部６の突っ張りを防止し、位置ずれを起こさないようにすることができる。
【００３４】
さらに、ガードル部６は、装着者の下腹部及び臀部にフィットし、装着者の体型を矯正する機能を有する。具体的には図２，図３，図４に示すように、ガードル部６は、腰部に緊締力を付与するように構成される吊り下げ布部９の下端に設けられ、装着者の下腹部前面から背後にかけてフィットし、骨盤周囲に囲繞装着される第１緊締部１０と、装着者の鼠蹊部から大転子に対応する位置を通って臀溝に延在する第２緊締部１１と、仙骨の上を通って前記第１緊締部と第２緊締部とを近接するように付勢する第３緊締部１２とが設けられている。
【００３５】
第１緊締部１０、第２緊締部１１、第３緊締部１２は、緊締力を有する伸縮性生地、例えばサテンネットを２重に重ねて張設して形成する。それぞれの緊締部の緊締力は、本実施形態では、第１緊締部１０が最も大きく、第３緊締部１２が最も小さくなるように構成されているが、これに限定されるものではなく、例えば、第１緊締部１０と第２緊締部１１を同じ緊締力にしてもよい。
【００３６】
ガードル部６の第１緊締部１０、第２緊締部１１、第３緊締部１２以外の部位については、緊締力が弱く構成され、若干の伸縮性のある生地で構成されている。
【００３７】
ガードル部６の装着者の下腹部に相当する位置、すなわち、ジーンズ本体１の前立て部５に相当する位置に設けられる切り欠き１３は第１緊締部１０の幅よりも短くなるように構成されており、第１緊締部１０の下方部位１０ａは、環状に構成されている。このため、霧下記の下方では、ガードル部６は切り欠き１３を閉じる方向に張力が働いており、前立て部５のファスナー（図示なし）の操作をしやすくする。
【００３８】
第２緊締部１１は、下腹部中央では、第１緊締部の下方に設けられ、鼠蹊部から大転子に対応する位置を通って臀溝に延在するベルト状に構成されて装着者の臀部を支え上げる。第２緊締部１１は、ほぼ同一の幅であるが、図４に示すように、股後方部分では、幅が小さく構成される。
【００３９】
第３緊締部１２は、ガードル部の臀部中央部分に高さ方向に伸縮するように構成されており、その幅は略０．５〜１．５ｃｍ程度である。第３緊締部は例えば、ゴム状の部材をガードル部の臀部中央部分に沿って配置することで構成される。第３緊締部１２により、第２緊締部１１は第１緊締部１０側に付勢されるように構成されており、臀部被覆部１４に緊締力を有しなくても、体型矯正の効果を十分に発揮することができる。
【００４０】
本実施形態にかかる矯正用ガードル付きズボン１００によると、ガードル部６は、吊り下げ布部９を介してジーンズ本体１に接続されているから、装着者はジーンズ本体１を穿いて装着することで、該ジーンズ本体１内に設けられたガードル部６を装着して体型の矯正が可能である。
【００４１】
吊り下げ布部９は装着者の体の動きに合わせて上下方向に伸縮しまた、可撓性を有するので、ジーンズ本体１の位置がずれた場合でも、当該ずれを吸収してガードル部６、特に直接連結されている第１緊締部１０の位置ズレを防止することができる。このため、ズボンを穿くときに位置決めされたガードル部６は、ズボン装着者が動作を行ってもほぼその位置を変えることなく骨盤の周囲への配置が維持される。さらに、装着者のどｕｓａによっても突っ張ることなく動きやすくすることができる。
【００４２】
また、第１緊締部１０は、その下方部分１０ａが環状に構成されているため、前立て部分を引き寄せるように張力が働くため、ズボンの開閉操作を容易にすることができる。
【００４３】
さらに、臀部を下支えする第２緊締部１１は、下腹部では第１緊締部と直接接続され、装着者の臀溝を被覆するように構成され、さらに第３緊締部１２により第１緊締部１０側に付勢するように構成されているため、臀部を効果的に上方向に持ち上げることができる。よって、臀部被覆部１４に強い緊締力を持たない場合でも体型矯正の効果を発揮することができ、さらに、臀部被覆部１４が強い緊締力を持たないため、ガードル部６の装着を楽にすることができる。
【００４４】
以上説明した実施形態にかかる矯正用ガードル付きズボンは、女性用ジーンズだけではなく、各種下半身用外着、例えば、スーツ用ズボン、通勤、通学等に穿く一般的なズボン、各種運動用ズボン、各種作業用ズボン等の各種外着用の長ズボン又は短ズボン、ストレッチ布帛、チノ生地等で構成されたスラックスなどにも適用可能である。
【００４５】
さらに、ガードル部６を吊り下げる吊り下げ布部は、上記実施形態である女性用のジーンズの例として、具体的なサイズを記載しているが、ズボンの種類により異なる股上寸法に応じて第１緊締部が正しく骨盤に来るようにするものであればその構成は特に限定されるものではない。
【００４６】
なお、本発明は上記実施形態に限定されるものではなく、その他種々の態様で実施可能である。たとえば、ズボンとして前開きタイプのものを実施例としているが、前開きタイプではないズボン、例えば、ウエスト地に環状のウエストゴムを設けたズボンなどにおいても本発明に係るガードル部を用いた構成を適用することができる。
【符号の説明】
【００４７】
１  ジーンズ本体
２  筒状脚部
３  筒状胴部
４  ウエスト地
５  前立て部
６  ガードル部
７  ボタン
８  周辺部
９  吊り下げ布部
１０  第１緊締部
１１  第２緊締部
１２  第３緊締部
１３  切り欠き
１４  臀部被覆部
１００  矯正用ガードル付きズボン
【図１】
2014051763.tif 000003
【図２】
2014051763.tif 000004
【図３】
2014051763.tif 000005
【図４】
2014051763.tif 000006